(57)【要約】【課題】所定の空間において好適なアクセスポイントをユーザが選択するのに有効な通信端末装置、サーバー装置、通信システム、及び通信方法を提供する。【解決手段】所定の空間において配置された複数のアクセスポイント３０と無線接続可能な通信端末装置１０であって、複数のアクセスポイント３０のうち第１のアクセスポイントからの情報を受信し処理する制御部１１と、受信した情報を表示可能な表示部１３と、を備える。制御部１１は、複数のアクセスポイント３０の位置情報を取得し、複数のアクセスポイント３０の位置情報を所定の空間のレイアウトに重ねたアクセス位置情報を表示部１３により表示させる。【選択図】図５
2014143564.tif 000002
【特許請求の範囲】
【請求項１】
所定の空間において配置された複数のアクセスポイントと無線接続可能な通信端末装置であって、
前記複数のアクセスポイントのうち第１のアクセスポイントからの情報を受信し処理する制御部と、
受信した情報を表示可能な表示部と、
を備え、
前記制御部は、前記複数のアクセスポイントの位置情報を取得し、前記複数のアクセスポイントの位置情報を前記所定の空間のレイアウトに重ねたアクセス位置情報を、前記表示部により表示させる、
通信端末装置。
【請求項２】
所定の空間において配置された複数のアクセスポイントと無線接続可能な通信端末装置であって、
前記複数のアクセスポイントのうち第１のアクセスポイントからの情報を受信し処理する制御部と、
受信した情報を表示可能な表示部と、
を備え、
前記制御部は、少なくとも、前記所定の空間における前記通信端末装置のための一定の位置と前記複数のアクセスポイントとの位置関係を示す情報を含むアクセス位置情報を取得し、
前記表示部は、前記アクセス位置情報を表示する、
通信端末装置。
【請求項３】
前記アクセス位置情報は更に、前記複数のアクセスポイントの通信状態を示す情報を含む、
請求項１又は２に記載の通信端末装置。
【請求項４】
更に、ユーザの操作による入力を受け付ける入力部を備え、
前記制御部は、前記入力部を介して前記第１のアクセスポイントを前記複数のアクセスポイントのうち第２のアクセスポイントへ変更する要求を受け付けたとき、前記第２のアクセスポイントと接続する、
請求項１から３のいずれかに記載の通信端末装置。
【請求項５】
前記制御部は、前記第２のアクセスポイントとの接続に応じて更新されたアクセス位置情報を取得し、
前記表示部は、更新されたアクセス位置情報を表示する、
請求項３に記載の通信端末装置。
【請求項６】
前記複数のアクセスポイントの通信状態を示す情報は、前記複数のアクセスポイントの通信速度、各アクセスポイントに対して接続されている通信端末装置の数、及び各アクセスポイントの故障の有無を示す情報、のうち少なくとも一つに基づき生成された情報である、
請求項３に記載の通信端末装置。
【請求項７】
前記アクセス位置情報は更に、前記所定の空間のレイアウトを示す情報を含み、
前記表示部は、前記所定の空間のレイアウトにおける、前記通信端末装置のための一定の位置と前記複数のアクセスポイントとの位置関係を示す情報を表示する、
請求項２から６のいずれかに記載の通信端末装置。
【請求項８】
所定の空間において配置された複数のアクセスポイントを介して複数の通信端末装置と通信を行うサーバー装置であって、
前記複数のアクセスポイントに接続される送信部と、
前記複数のアクセスポイントに接続される受信部と、
少なくとも、前記複数の通信端末装置のうち一の通信端末装置のための前記所定の空間における一定の位置と前記複数のアクセスポイントとの位置関係を示す情報を含むアクセス位置情報を生成する制御部と、
を備え、
前記制御部は、前記受信部を介して受信された前記一の通信端末装置からの要求に応じて、生成した前記アクセス位置情報を、前記送信部を介して前記一の通信端末装置に送信する、
サーバー装置。
【請求項９】
前記アクセス位置情報は更に、前記複数のアクセスポイントの通信状態を示す情報を含む、
請求項８に記載のサーバー装置。
【請求項１０】
前記制御部は更に、前記アクセス位置情報を更新し、前記送信部を介して更新されたアクセス位置情報を前記一の通信端末装置に送信する、
請求項８又は９に記載のサーバー装置。
【請求項１１】
前記制御部は、前記受信部を介して、定期的に前記複数のアクセスポイントの通信状態を示す情報を前記複数のアクセスポイントより取得する、
請求項９又は１０に記載のサーバー装置。
【請求項１２】
前記複数のアクセスポイントの通信状態を示す情報は、前記複数のアクセスポイントの通信速度、各アクセスポイントに対して接続されている通信端末装置の数、及び各アクセスポイントの故障の有無を示す情報、のうち少なくとも一つに基づき生成された情報である、
請求項９から１１のいずれかに記載のサーバー装置。
【請求項１３】
請求項１から７のいずれかに記載の通信端末装置と、
請求項８から１２のいずれかに記載のサーバー装置と、
前記通信端末装置及び前記サーバー装置間を接続するアクセスポイントと、
を備える、通信システム。
【請求項１４】
所定の空間において配置された複数のアクセスポイントのうち少なくとも一つのアクセスポイントと無線接続可能な通信端末装置と、前記少なくとも一つのアクセスポイントを介して前記通信端末装置と接続可能なサーバー装置との間で実行される通信方法であって、
前記通信端末装置において、前記サーバー装置から、少なくとも前記所定の空間における前記通信端末装置のための一定の位置を示す情報と前記複数のアクセスポイントとの位置関係を示す情報を含むアクセス位置情報を受信し、
受信した前記アクセス位置情報を表示する、
通信方法。
【発明の詳細な説明】
【技術分野】
【０００１】
本開示は、所定の空間においてアクセスポイントの情報を出力する通信端末装置、サーバー装置、通信システム、及び通信方法に関する。
【背景技術】
【０００２】
従来、携帯端末を用いて、周辺のアクセスポイントの位置、名称、受信信号の強さ等の属性情報を取得し、カメラによるプレビュー画面においてアクセスポイントの位置とそれらの属性を表示することが知られている（例えば、特許文献１参照）。
【先行技術文献】
【特許文献】
【０００３】
【特許文献１】特開２０１２−１２９９９６号公報
【発明の概要】
【発明が解決しようとする課題】
【０００４】
しかし、安定して通信を行う場合には、通信端末装置とアクセスポイントとの距離が重要であるにもかかわらず、電波強度に基づき距離を推定するとその精度は悪くなる。
本開示は、所定の空間において好適なアクセスポイントをユーザが選択するのに有効な通信端末装置、サーバー装置、通信システム、及び通信方法を提供する。
【課題を解決するための手段】
【０００５】
本開示における通信端末装置は、所定の空間において配置された複数のアクセスポイントと無線接続可能な通信端末装置であって、複数のアクセスポイントのうち第１のアクセスポイントからの情報を受信し処理する制御部と、受信した情報を表示可能な表示部と、を備える。制御部は、複数のアクセスポイントの位置情報を取得し、複数のアクセスポイントの位置情報を所定の空間のレイアウトに重ねたアクセス位置情報を、表示部により表示させる。
【０００６】
本開示におけるサーバー装置は、所定の空間において配置された複数のアクセスポイントを介して複数の通信端末装置と通信を行うサーバー装置であって、複数のアクセスポイントに接続される送信部と、複数のアクセスポイントに接続される受信部と、制御部と、を備える。制御部は、少なくとも、複数の通信端末装置のうち一の通信端末装置のための所定の空間における一定の位置と複数のアクセスポイントとの位置関係を示す位置情報を含むアクセス位置情報を生成する。制御部はまた、受信部を介して受信された上記一の通信端末装置からの要求に応じて、生成したアクセス位置情報を、送信部を介してその通信端末装置に送信する。
【０００７】
本開示おける通信方法は、所定の空間において配置された複数のアクセスポイントのうち少なくとも一つのアクセスポイントと無線接続可能な通信端末装置と、少なくとも一つのアクセスポイントを介して通信端末装置と接続可能なサーバー装置との間で実行される通信方法であって、通信端末装置において、サーバー装置から、少なくとも所定の空間における通信端末装置のための一定の位置を示す情報と複数のアクセスポイントとの位置関係を示す情報を含むアクセス位置情報を受信し、受信した前記アクセス位置情報を表示する。
【発明の効果】
【０００８】
本開示における通信端末装置、サーバー装置、通信システム、又は通信方法は、所定の空間において好適なアクセスポイントをユーザが選択するのに有効である。
【図面の簡単な説明】
【０００９】
【図１】実施の形態１に係る通信システムの概略構成図
【図２】実施の形態１に係る通信端末装置の概略構成図
【図３】実施の形態１に係るサーバー装置及びアクセスポイントの概略構成図
【図４】アクセス位置情報の生成に関連する情報の一例を示す図
【図５】アクセス位置情報の表示例を示す図
【図６】通信端末装置の動作を示すフローチャート
【図７】サーバー装置の動作を示すフローチャート
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者らは、当業者が本開示を十分に理解するために添付図面及び以下の説明を提供するのであって、これらによって特許請求の範囲に記載の主題を限定することを意図するものではない。
【００１１】
説明中で同じ符号、記号、数字は、特に説明が無い限り、同じ構成要素を示すものとする。また、特に説明が無い限り本発明に必須でない構成要素は図示しないものとする。
（実施の形態１）
［１−１．  通信システムの構成］
以下、本発明の一実施の形態について、外部から電磁的に遮蔽された輸送機関の１つである航空機内の客室エリア（所定の空間の一例）に適用した事例を挙げて説明する。
【００１２】
図１は、通信システム１（通信システムの一例）の全体構成を概略的に示す。通信システム１は、航空機内に設定されたサーバー装置２０（サーバー装置の一例）と、サーバー装置２０とケーブルＮＷを介して複数接続されるアクセスポイント３０（ＡＰ１〜５）と、搭乗者（ユーザ）により利用される通信端末装置１０（通信端末装置の一例）と、を備える。通信端末装置１０とアクセスポイント３０とは無線接続可能であり、無線ＬＡＮを形成する。なお、サーバー装置２０は有線ケーブルを介して各座席に設置された他の表示装置（図示省略）に接続されている。
【００１３】
アクセスポイントの数は、図示されているものに限定されず、航空機の大きさや種類に応じて図示されているものより少なくても多くてもよい。図１において各アクセスポイント３０から延びている点線は、各アクセスポイントの電波の到達範囲（以下、通信エリアと呼ぶ）の例を示している。
図１に示す航空機の客室内に設けられた通信システム１の通信エリアは、航空機の客室エリアである。航空機内には、所定数の座席が複数列配置され、無線基地局としての各アクセスポイント３０は一部の座席群に相当する通信エリアをカバーするように配置され、複数のアクセスポイント３０により座席全体に相当する通信エリアをカバーするように配置される。図１に示すように各アクセスポイント３０の通信エリアは、他のアクセスポイント３０の通信エリアと重複するように配されている。
【００１４】
アクセスポイント３０は、サーバー装置２０と有線ケーブルなどにより接続される。これにより、サーバー装置２０はアクセスポイント３０を介してすべての通信端末装置１０に対して映像データや音声データを含むコンテンツ情報の配信サービスを行うことができる。
［１−１−１．  通信端末装置の構成］
図２は、通信端末装置１０の構成例を概略的に示す。通信端末装置１０は、搭乗者により持ち込まれる、スマートフォンやタブレット端末等の携帯端末である。通信端末装置１０は、所定のバスを介して接続された制御部１１、メモリ１２、表示部１３、入力部１５、及び無線ＩＦ部１６を備える。
【００１５】
制御部１１は、ＣＰＵ等から構成され、所定のプログラムを実行することにより通信端末装置１０の各機能を実行する。特に、端末情報生成部１１Ａは、端末ＩＤ（つまり、通信端末装置１０を一意に識別できる情報）や、後述する入力部１５を介してユーザにより入力された座席情報（通信端末装置のための一定の位置を示す情報の一例）を含む端末情報を生成する。端末情報は、例えば図４（ａ）に示すような情報であり、自身の通信端末装置１０のＩＤ情報と同ＩＤ情報に対応づけられたユーザの座席情報を含む。
【００１６】
メモリ１２は、種々のデータを格納する。特に、メモリ１２は、端末情報記憶部１２Ａを含み、制御部１１の端末情報生成部１１Ａにより生成された端末情報を格納する。
表示部１３は、ＬＣＤや有機ＥＬディスプレイ等の表示画面を有し、制御部１１の指令に応じてサーバー装置２０から取得された情報（後述するアクセス位置情報や、要求されたコンテンツ情報等）を表示する。入力部１５は、表示部１３に表示されるタッチパネルや、操作ボタン、キーボード、マウス等の入力手段であり、ユーザの操作により入力された情報を制御部１１に送信する。
【００１７】
無線ＩＦ部１６は、アンテナＡＴを介して制御部１１により生成される情報を無線送信し、且つアクセスポイント３０から情報を受信する無線インターフェースである。
［１−１−２．  サーバー装置の構成］
図３は、サーバー装置２０の構成例を概略的に示す。サーバー装置２０は、航空機内に設置されたコンピュータ装置であり、通信端末装置１０や各座席に設置された表示装置（図示省略）に対して、映像データや音声データを含むコンテンツ情報を配信する他、航空機の運行情報、環境情報等を取得し、航空機内のネットワークシステム全体を管理する。
【００１８】
サーバー装置２０は、所定のバスを介して接続される制御部２１、メモリ２２、受信部２７、及び送信部２８を備える。
制御部２１は、ＣＰＵ等から構成され、所定のプログラムを実行することによりサーバー装置２０の各機能を実行する。特に、アクセス位置情報生成部２１Ｂは、アクセスポイント３０の通信状態情報や、通信端末装置１０より受信した端末情報等に基づきアクセス位置情報を生成すると共に、すでにメモリ２２に格納されたアクセス位置情報を更新する。通信状態情報生成部２１Ｃは、各アクセスポイント３０から送信されてくる現在の通信状態を示す情報に基づき通信状態情報を生成すると共に、すでにメモリ２２に格納された通信状態情報を更新する。通信状態情報は、例えば、図４（ｂ）に示すような内容の情報である。通信状態情報は、例えば、各アクセスポイント３０（ＡＰ１〜ＡＰ５）に接続している通信端末装置１０の接続台数、通信速度、アクセスポイント３０の機器状態（故障中等）、接続している端末のＩＤ情報等を含む。アクセスポイント３０の通信状態は常に変化するため、通信状態情報生成部２１Ｃは、各アクセスポイント３０より定期的に通信状態に関する情報を取得し、更新する。
【００１９】
メモリ２２は、種々のデータを格納する。特に、メモリ２２は、アクセス位置情報記憶部２２Ｂと、通信状態情報記憶部２２Ｃと、プログラム記憶部２２Ｄと、コンテンツ記憶部２２Ｅと、エリア情報記憶部２２Ｆとを含む。アクセス位置情報記憶部２２Ｂは、アクセス位置情報生成部２１Ｂにより生成され或いは更新されたアクセス位置情報を記憶する。通信状態情報記憶部２２Ｃは、通信状態情報生成部２１Ｃにより生成され或いは更新された通信状態情報を記憶する。プログラム記憶部２２Ｄは、例えば、アクセス位置情報を通信端末装置１０により受信して表示可能にするためのプログラム等を記憶する。同プログラムは、例えば、通信端末装置１０からのリクエストに応じて通信端末装置１０にダウンロードされる。エリア情報記憶部２２Ｆは、図４（ｃ）に示すように、客室エリアのレイアウト、座席情報及び各アクセスポイント３０の位置を含む情報を予め格納する。
【００２０】
受信部２７は、通信端末装置１０から送信された情報を、アクセスポイント３０を介して受信する。送信部２８は、制御部２１により読み出されたメモリ２２の情報を、各アクセスポイント３０を介して通信端末装置１０送信する。
［１−１−３．  アクセスポイントの構成］
図３はまた、アクセスポイント３０の構成例を概略的に示す。アクセスポイント３０は、例えば、無線ＬＡＮアクセスポイントであり、ＩＥＥＥ８０２．１１諸規格に準拠した無線通信装置である通信端末装置１０と共に構成される無線ＬＡＮにおいて、通信装置間の電波を中継して通信装置間の通信を実行する。アクセスポイント３０は、例えば、制御部３１、メモリ３２、無線ＩＦ部３６、受信部３７、及び送信部３８を備える。制御部３１はＣＰＵ等から構成され、メモリ３２、無線ＩＦ部３６、受信部３７、及び送信部３８を制御する。メモリ３２は、自身の通信状況や通信端末装置１０との接続情報等、種々のデータを格納する。無線ＩＦ部３６は、アンテナＡＴを介して通信端末装置１０に対し情報を送信するとともに、通信端末装置１０からの信号を受信する。受信部３７は、サーバー装置２０からの情報を受信する。送信部３８は、通信端末装置１０からの情報をサーバー装置２０に送信する。
［１−１−４．  アクセス位置情報］
図５は、サーバー装置２０により生成され、通信端末装置１０により表示されるアクセス位置情報の表示例を示す。図５は航空機の客室エリアのレイアウトを示したものであり、一部図示を省略しているが座席の配置（Ａ〜Ｋ列、１〜３９番）と、各アクセスポイント３０のＡＰ１〜ＡＰ５の配置が表示される。アクセス位置情報を要求している通信端末装置１０のユーザの座席位置は、星印で示される。更に、アクセス位置情報には当該通信端末装置１０が現在接続しているアクセスポイント３０の特定情報も含まれていてもよい。接続中のアクセスポイント３０は、例えば該当するアクセスポイント３０のマークを点滅させたり、特定の色に変えたりする等して表示させてもよい。
【００２１】
更に各アクセスポイント３０については、通信端末装置１０の接続台数の大小や通信速度に応じて異なる記号を示している。例えば、図示例ではＡＰ４に対する接続台数が多く通信速度が遅くなっている。次にＡＰ２が中程度の接続台数及び速度であり、ＡＰ１やＡＰ３は接続台数が少なく通信速度が安定していることが一見して分かる。ユーザ（図示例では座席Ａ２６）は、この情報を見て、接続台数が少なく且つ通信速度が安定しており且つ距離が短いＡＰ３を選択することが可能となる。
【００２２】
また、図示例のように、アクセスポイントの機器状態（故障中等）の情報も表示してもよい。
［１−２．  通信システムの動作］
図６及び図７を参照しながら、本実施の形態に係る通信システム１の動作について説明する。
［１−２−１．  通信端末装置の動作］
図６は、主に、通信端末装置１０の制御部１１の動作のフローを示す。
【００２３】
ステップＳ１０１：通信端末装置１０は、所定のアクセスポイント３０（第１のアクセスポイントの一例）との接続を行う。
この接続は、例えば公知の無線ＬＡＮ（例えば、ＷｉＦｉ）による方式に沿って実行される。例えば、無線通信が可能な状態になった航空機内においてサーバー装置２０によるサービスが開始されると、各アクセスポイント３０からビーコンの発信が開始される。このビーコンを通信端末装置１０が受信することにより、共有した所定のＩＤ（例えば、ＳＳＩＤ）に基づき所定のアクセスポイント３０と通信端末装置１０間で、接続処理を行う。
【００２４】
ステップＳ１０２：ユーザは必要に応じて所定のプログラムのダウンロードを実行する。この所定のプログラムは、アクセス位置情報を通信端末装置１０により受信して表示可能にするためのプログラムである。
なお、ここでのプログラムのダウンロードは必須ではなく、予め専用の接続ツールとして通信端末装置１０にインストールされていてもよい。
【００２５】
ステップ１０３：プログラムのダウンロードが必要な場合は、制御部１１は、サーバー装置２０に対しダウンロードのリクエストを、無線ＩＦ部１６及び接続中のアクセスポイント３０を介して送信する。そして、制御部１１は、サーバー装置２０からプログラムをダウンロードする。なお、このプログラムのダウンロードは、有線ケーブルでサーバー装置２０と接続された他の通信端末装置（座席に設けられた表示装置等）に接続して行ってもよい。
【００２６】
ステップＳ１０４：制御部１１は、ユーザの入力操作を介して、ダウンロードしたプログラムを起動する。また、制御部１１は、通信端末装置１０のＩＤ情報と入力された座席情報とを含む端末情報を生成し、無線ＩＦ部１６及び接続中のアクセスポイント３０を介してサーバー装置２０に送信する。
ステップＳ１０５：サーバー装置２０から、無線ＩＦ部１６及び接続中のアクセスポイント３０を介してアクセス位置情報を受信する。
【００２７】
ステップＳ１０６：制御部１１は、サーバー装置２０からのアクセス位置情報（例えば、図５に示す）を表示部１３に表示させる。
ステップＳ１０７：制御部１１は、ユーザの入力操作を介して、アクセスポイント３０の変更の要求があったかどうかを判定する。
なお、アクセスポイント３０の選択、変更は、図５に示す例では、通信端末装置１０の表示部１３上のＡＰのマーク部分をタッチしたり、メッセージに従ってクリックしたりする等することにより行われるようにしてもよい。
【００２８】
ステップＳ１０８：アクセスポイント３０の変更の要求はあった場合は、入力された新たなアクセスポイント３０（第２のアクセスポイントの一例）の特定情報を、端末情報と共にサーバー装置２０に送信する。
ステップＳ１０９：制御部１１は、サーバー装置２０によるアクセスポイントの設定変更に従い、変更されたアクセスポイントとの接続処理を行う。
【００２９】
ステップＳ１１０：制御部１１は、ユーザの入力操作を介して、プログラムの終了の要求があった場合は処理を終了する。処理を終了しない場合は、ステップＳ１０５に戻りサーバー装置２０から最新のアクセス位置情報を受信する。
［１−２−２．  サーバー装置の動作］
図７は、主に、サーバー装置２０の制御部２１の動作のフローを示す。
【００３０】
ステップＳ２０１：制御部２１は、通信端末装置１０より所定のプログラムの要求（図６のステップＳ１０３）を受信したかどうかを判定する。
ステップＳ２０２：ステップＳ２０１の要求を受信した場合は、所定のプログラムをメモリ２２により取得し、通信端末装置１０へのダウンロードを実行する。
ステップ２０３：制御部２１は更に、通信端末装置１０より、端末情報（例えば、図４（ａ）に示す）を受信したかどうかを判定する。
【００３１】
ステップＳ２０４：制御部２１は、端末情報を受信した場合には、各アクセスポイント３０の通信状態情報（例えば、図４（ｂ）に示す）をメモリ２２より取得する。そして、端末情報と通信状態情報に基づき、アクセス位置情報（例えば、図５に示す）を生成する。
なお、通信状態情報は、図７の動作とは別に、各アクセスポイント３０より定期的に取得され、更新されるものとする。
【００３２】
ステップＳ２０５：制御部２１は、無線ＩＦ部２６及びアクセスポイント３０を介して、生成したアクセス位置情報を受信した端末情報に対応する通信端末装置１０に送信する。
ステップＳ２０６：制御部２１は、通信端末装置１０よりアクセスポイント３０の変更要求があったかどうか判定する。
【００３３】
ステップＳ２０７：ステップＳ２０６においてアクセスポイント３０の変更要求があった場合は、制御部２１は、現在接続中のアクセスポイント３０との接続を無効にし、要求されたアクセスポイント３０との接続するよう、各アクセスポイント３０の設定を変更する。制御部２１は更に、各アクセスポイント３０の通信状態情報（例えば、図４（ｂ）に示す）を更新すると共に、更新された通信状態情報と端末情報とに基づいてアクセス位置情報を更新し、それぞれメモリ２２に格納する。
【００３４】
ステップＳ２０８：制御部２１は、通信端末装置１０からプログラムの終了の要求があった場合は処理を終了する。処理を終了しない場合は、ステップＳ２０５に戻り最新のアクセス位置情報を通信端末装置１０に送信する。
［１−３．  効果等］
上記実施の形態に係る通信端末装置１０によれば、制御部１１は、少なくとも、航空機の客室エリアにおける通信端末装置１０の一定の位置を示す情報と、その一定の一と複数のアクセスポイント３０（ＡＰ１〜ＡＰ５）との位置関係を示す情報と、複数のアクセスポイント３０の通信状態を示す情報と、を含むアクセス位置情報を取得し、表示部１３により表示させる。これにより、通信端末装置１０のユーザは、アクセスポイント３０と自身の位置である座席との位置関係に基づいて任意にアクセスポイント３０を選択できる。また、ユーザは複数のアクセスポイント３０の混雑状況や通信距離を把握した上で、最適なアクセスポイントを選択できる。
【００３５】
また、上記実施の形態に係るサーバー装置２０によれば、制御部２１は、少なくとも、航空機の客室エリアにおける通信端末装置１０の一定の位置を示す情報と、その一定の位置と複数のアクセスポイント３０との位置関係を示す情報と、複数のアクセスポイントの通信状態を示す情報と、を含むアクセス位置情報を生成する。更に、制御部２１は、受信部２７を介して受信された通信端末装置１０からの要求に応じて、生成されたアクセス位置情報を、送信部３８を介して通信端末装置１０に送信する。これにより、通信端末装置１０のユーザは、アクセスポイント３０と自身の位置である座席との位置関係に基づいて任意にアクセスポイント３０を選択できる。また、ユーザは複数のアクセスポイント３０の混雑状況や通信距離を把握した上で、最適なアクセスポイント３０を選択できる。
【００３６】
また、上記実施の形態に係る通信端末装置１０及びサーバー装置２０を含む通信システム１によっても、上記と同様の効果が期待できる。
更に、上記実施の形態に係る通信端末装置１０及びサーバー装置２０により実行される通信方法においても、上記と同様の効果が期待できる。
（他の実施の形態）
以上、図面を用いて本発明の実施形態を説明したが、本発明の具体的な構成は、前述の実施形態に限られるものではなく、発明の要旨を逸脱しない範囲で種々の変更及び修正が可能である。例えば、次のような変更が可能である。
［１．］
通信端末装置１０は、Ｗｅｂブラウザ等を利用してサーバー装置２０にアクセスし、アクセス位置情報を表示させるようにしてもよい。この場合、座席に接続先のＵＲＬや座席番号をＱＲコード（登録商標）化等して示しておいてもよい。また、ユーザは航空機に搭乗前に他のサーバー装置からＩＤ情報を入手し、サーバー装置２０にアクセスできるようにしてもよい。
【００３７】
また、ユーザは、上記実施の形態に係る通信システムを利用するための所定のプログラムや客室レイアウト、座席番号を示す情報を航空機に搭乗前に他のサーバー装置からダウンロードしておいてもよい。
また、表示するＱＲコード（登録商標）にアクセス位置情報を入れておき、上記実施の形態に係る通信システムを利用するための所定のプログラムをそのＱＲコード（登録商標）により情報を表示するようなプログラムとしてもよい。
［２．］
上記実施の形態は、航空機に適用されることを例にしているが、アクセスポイントと通信端末装置の位置が固定されている所定の空間であればよく、例えば、新幹線等の列車や会議室、ホール等においても適用できる。
［３．］
上記実施の形態においては、通信端末装置１０はユーザが持ち込んだ機器を例にしているが、これに限定されない。例えば、座席に予め設けられた無線通信端末装置を利用してもよい。
［４．］
通信端末装置は、アクセスポイントの位置情報をアクセスポイントを介して取得することに限定されず、異なる通信経路を用いて取得してもよい（例えば、ＱＲコード（登録商標）のＵＲＬに含まれるアクセスポイントの位置や座席番号を示す情報を入力したり、Ｂｌｕｅｔｏｏｔｈ（登録商標）を使用する等)。
［５．］
上記実施の形態において、アクセス位置情報として、空間のレイアウト(航空機のシートマップ等)、座席の位置、各アクセスポイントの位置、及び各アクセスポイントの通信状態と、表示させているが、これに限定されない。アクセス位置情報として、客室エリアのレイアウトにおける各アクセスポイントの位置が示されているのみであってもよい。座席の位置は、ユーザが空間レイアウトに表示される座席番号等を確認するようにしてもよい。
【００３８】
また、通信端末装置は、空間のレイアウトを通信端末装置のアプリ等にあらかじめインストールしておき、アプリ使用時に座席番号のみを入力し空間のレイアウトに重ねることによりアクセス位置情報として表示させるようにしてもよい。
【産業上の利用可能性】
【００３９】
本開示は、所定の空間において利用される無線通信システム、およびその通信装置として適用可能である。
【符号の説明】
【００４０】
１      通信システム
１０    通信端末装置
１１    制御部
１２    メモリ
１３    表示部
１５    入力部
１６    無線ＩＦ部
２０    サーバー装置
２１    制御部
２２    メモリ
２７    受信部
２８    送信部
３０    アクセスポイント
３１    制御部
３２    メモリ
３６    無線ＩＦ部
３７    受信部
３８    送信部
【図１】
2014143564.tif 000003
【図２】
2014143564.tif 000004
【図３】
2014143564.tif 000005
【図４】
2014143564.tif 000006
【図５】
2014143564.tif 000007
【図６】
2014143564.tif 000008
【図７】
2014143564.tif 000009